(57)【要約】【課題】血管壁の品質およびソリッドネスを検出するための装置を提供すること。【解決手段】相互にフレキシブルに移動し対向する任意の形状の２つの固定プレートを有し、組織試料は該固定プレート間に配置されて該固定プレートに固定され、該検出装置は検出器に接続されており、該検出器は、該固定プレートの相互間の外転または回動によって、該組織試料のソリッドネスに相応する値を測定および記録するために構成されていることを特徴とする、検出装置。【選択図】図１
2009175149.tif 000002
【特許請求の範囲】
【請求項１】
血管壁の品質およびソリッドネスを検出するための検出装置であって、
該血管壁の個々の層の相互間の結合性を破壊的に検出するのに使用される検出装置において、
相互にフレキシブルに移動し対向する任意の形状の２つの固定プレート（１，２）を有し、
組織試料（６）は該固定プレート（１，２）間に配置されて該固定プレート（１，２）に固定され、
該検出装置は検出器（７）に接続されており、
該検出器（７）は、該固定プレート（１，２）の相互間の外転または回動によって、該組織試料（６）のソリッドネスに相応する値を測定および記録するために構成されていることを特徴とする、検出装置。
【請求項２】
前記固定プレート（１，２）は、アブダクタ（１１）を使用して相互に線形に外転される、請求項１記載の検出装置。
【請求項３】
前記固定プレート（１，２）は、アブダクタ（１１）を使用して行われる該固定プレート（１，２）の角度外転を検出するために、長手方向ジョイント（８）によって相互に接続されている、請求項１記載の検出装置。
【請求項４】
前記固定プレート（１，２）は、ねじれ力によって相互に回転移動し、
頂部の固定プレート（１）に相対回動不能に固定されたシャフト（１２）が、該頂部の固定プレート（１）を貫通し、かつ、被検査対象の試料（６）も貫通して、底部の固定プレート（２）にすべり軸受で固定されている、請求項１記載の検出装置。
【請求項５】
前記固定プレート（１，２）の相互に対向する壁に、被検査対象の前記試料の標準的な大きさを検出するために、閉じられた幾何的形状のブレード（５）と溝（９）とが設けられており、
該溝（９）の形状および大きさは該ブレード（５）に相応し、
該試料の表面積は、該ブレード（５）および溝（９）の形状に適合される、請求項１から４までのいずれか１項記載の検出装置。
【請求項６】
前記固定プレート（１，２）の内側領域に孔（３）が設けられており、
該孔（３）は、前記組織試料（４）を固定プレート（１，２）に固定するための負圧を形成する空気ポンプに連通された出口（４）に連通されている、請求項１から５までのいずれか１項記載の検出装置。
【発明の詳細な説明】
【技術分野】
【０００１】
本発明は、血管壁の品質およびソリッドネスを検出するための装置に適用される。本装置は、外科的手順および人間の組織の調査または異なる有機生物の組織の調査で使用される装置の技術的構成に関する。
【背景技術】
【０００２】
動脈組織の品質を検出する原理は現在、不完全な技術的手段によって決定づけられる。ＷＯ２００７／１１７７８２に記載された手段は、組織の品質の検出と、該組織を処理するために種々のソースを使用することに取り組んでいる。それによれば、種々の種類の放射をこの組織に導入してプローブが組織の変化を検出し、その後に、この組織を通過する間の放射の変化を検査する。ここに記載された手段の欠点は、組織の品質（ソリッドネス）を直接検査しないので、該組織の特性および品質を定義しないことである。
【０００３】
有効なチェコ共和国特許第２９２２８４号に、生きた有機生物の組織を検査する別の公知の技術的手段が記載されている。しかし、ここに記載された装置は組織の異なる特性を検査し、すなわち粘性を検査するので、血管壁の切開のリスクに関する組織の特性を証明しない。
【先行技術文献】
【特許文献】
【０００４】
【特許文献１】ＷＯ２００７／１１７７８２
【特許文献２】チェコ共和国特許第２９２２８４号
【発明の概要】
【発明が解決しようとする課題】
【０００５】
本発明の課題は、血管壁の品質およびソリッドネスを検出するための装置を提供することである。
【課題を解決するための手段】
【０００６】
前記課題は、次のような検出装置、すなわち、
相互にフレキシブルに移動し対向する任意の形状の２つの固定プレートを有し、
組織試料は該固定プレート間に配置されて該固定プレートに固定され、
該検出装置は検出器に接続されており、
該検出器は、該固定プレートの相互間の外転または回動によって、該組織試料のソリッドネスに相応する値を測定および記録するために構成されていることを特徴とする、検出装置
によって解決される。
【図面の簡単な説明】
【０００７】
【図１】線形に外転する正方形の固定プレートを有する装置の斜視図と、検出器との接続を示す線図である。
【図２】ブレードおよび孔の配置を示す、図１に示された底部固定プレートの斜視図である。
【図３】固定プレートが角度で折り返された装置の斜視図と、検出器との接続を示す線図である。
【図４】円形の固定プレートと回動する頂部固定プレートとを有する実施形態の装置の斜視図である。
【発明を実施するための形態】
【０００８】
本願で提案される技術的解決手段の対象は、血管壁の品質およびソリッドネスを破壊的に検出するための装置である。この装置は空気ポンプまたは別の吸引装置に接続され、この空気ポンプまたは別の吸引装置は、固定プレート間のスペースにおいて該固定プレートの表面に負圧を発生する。固定プレート間のスペースに挿入された数ｍｍ２〜数十ｍｍ２に及ぶ血管壁の試料は、負圧を使用して該固定プレートへの吸引によって固定される。固定プレートを移動させる構成により、血管壁の個々の層間で内部結合が破壊される位置まで該固定プレートを相互に移動することによって、血管壁の被検査試料を伸長させることができる。このような破裂に必要な力は、検出器を使用して測定および記録される。
【０００９】
本発明の利点は、特定された情報から予防的な心臓手術に関する総合的な判断を行うことや、進行中の外科的手順を拡張することが可能であることだ。公知の手段と異なり、本発明の装置は厳密な無菌環境で使用する必要がない。というのも、組織は患者の身体の外側で検査され、使用される組織はこの身体に戻されないからである。
【００１０】
ここで重要な要因は、特定の患者の血管壁の品質に該当する現在値を得て標準値と比較し、外科的手順が有利であるか不必要であるかを判断することである。
【実施例】
【００１１】
実施例１
装置は、本発明にしたがって血管壁の品質を検査するために構成された。この装置は２つの固定プレート１および２から成る。底部固定プレート２には正方形のブレード５が設けられており、頂部固定プレート１には溝９が設けられており、この溝９の形状および大きさはブレード５に相応する。両固定プレート１および２は中空であり、孔３内に向かう負圧の分布を均等にするための通路の集合が内部に設けられている。孔３は固定プレート１および２間のスペースに向かって方向づけされており、ブレード５と溝９とによって画定された領域に配置されている。この孔３は負圧を、出口４から固定プレート１および２の表面に渡すために使用される。このようにして、動脈壁の試料６が固定されるのが保証される。さらにこの装置は、固定プレート１および２を外転するためのアブダクタ１１も有する。この場合には固定プレートは線形に外転され、固定プレート１および２を外転するためのアブダクタ１１が設けられており、このアブダクタ１１にはここでは４つのねじが設けられている。固定プレート１および２を外転するために必要とされる力は検出器７によって測定および記録され、この検出器７は、固定プレート１および２の外転を行うためのアブダクタ１１に接続されている。ここに記載された実施形態は、図１および２に示されている。
【００１２】
実施例２
装置は、本発明にしたがって血管壁の品質を検査するために構成された。この装置では、２つの固定プレート１および２は長手方向ジョイント８を使用して接続されている。固定プレート１および２は、２０ｍｍの辺を有する正方形である。両固定プレート１および２は中空であり、孔３の集合が該固定プレート間のスペース内に向かって方向づけされている。この孔３により、負圧が出口４から固定プレート１および２の表面に供給され、試料６が確実に固定される。さらにこの装置は、固定プレート１および２を外転するためのアブダクタ１１も有する。固定プレート１および２の外転は連続的に行うことができ、また定義された時間遅延をもって段階的に行うこともできる。固定プレート１および２を外転するために必要とされる力は検出器７によって測定および記録され、この検出器７は、固定プレート１および２の外転を行うためのアブダクタ１１に接続されている。ここに記載された実施形態は、図３に示されている。
【００１３】
実施例３
装置は、本発明にしたがって血管壁の品質を検査するために構成された。この装置では、１５ｍｍの直径を有する円形の２つの固定プレート１および２が設けられている。ここでは表面積が小さいので、負圧による固定が有効でない場合には、組織試料６の固定は接着材によって保証される。組織試料６はこの場合、上記の装置と異なって必要な形状および表面積に適合されている。またこの装置は、頂部固定プレート１をシャフト１２によって回動する装置も有し、この場合にはこの回動は、ステップモータ１０によって行われる。試料に含まれる組織の個々の層を外転して頂部固定プレート１をスタートするのに必要とされる力は、検出器７によって測定および記録される。上記の構成は図４に示されている。
【００１４】
さらに、前記固定プレート（１，２）は、ねじれ力によって相互に回転移動し、頂部の固定プレート（１）に相対回動不能に固定されたシャフト（１２）が、該頂部の固定プレート（１）を貫通し、かつ、被検査対象の試料（６）も貫通して、底部の固定プレート（２）にすべり軸受で固定されるように構成することも可能である。
【産業上の利用可能性】
【００１５】
本発明は、動脈壁の品質の検査に基づいて実際の手順中のすべての外科的指示を、上行動脈で行われる手順によって拡張する心臓外科手術の現場で実用化することができる。
【符号の説明】
【００１６】
１    頂部固定プレート
２    底部固定プレート
３    孔
４    出口
５    ブレード
６    組織試料
７    検出器
８    長手方向ジョイント
９    溝
１０  ステップモータ
１１  アブダクタ
１２  シャフト
【図１】
2009175149.tif 000003
【図２】
2009175149.tif 000004
【図３】
2009175149.tif 000005
【図４】
2009175149.tif 000006